(57)【要約】【課題】被切断シートの上面に載置した状態で滑動を防止して、カッターナイフによりシートを容易に切断することができるカッターガイドを提供する。【解決手段】カッターガイド１１をガイド本体１２と、ガイド本体１２の斜面１２ａに接着剤１４により接着されたガイドプレート１３と、前記ガイド本体１２の外表面に接着された滑動防止層１５とにより構成する。両面粘着テープ２４の剥離シート２６の上面にカッターガイド１１の滑動防止層１５の下面を接触する。剥離シート２６の上面に接触された滑動防止層１５が剥離シート２６の上面において滑らないので、剥離シート２６の上面に対しカッターガイド１１を小さい押圧力で安定して載置することができ、ガイドプレート１３によってカッターナイフ２９の切断刃３０を容易に案内移動することができる。【選択図】図１
2009000943.tif 000002
【特許請求の範囲】
【請求項１】
カッターナイフの切断刃を案内する案内部を有するカッターガイドの本体の下面に滑動防止層を設けたことを特徴とするカッターガイド。
【請求項２】
請求項１において、前記カッターガイドの本体の厚さ寸法は、５ｍｍ〜５０ｍｍの範囲に設定されていることを特徴とするカッターガイド。      
【請求項３】
請求項２において、前記本体の側面には下端ほど本体から横方向に張り出す斜面が形成され、該斜面には前記案内部が設けられていることを特徴とするカッターガイド。
【請求項４】
請求項１〜３のいずれか一項において、前記本体の上面に滑動防止層が設けられていることを特徴とするカッターガイド。
【請求項５】
請求項１〜３のいずれか一項において、前記本体の上面には把手が設けられていることを特徴とするカッターガイド。
【請求項６】
請求項１〜５のいずれか一項において、前記案内部には長さを測定する目盛が設けられていることを特徴とするカッターガイド。
【発明の詳細な説明】
【技術分野】
【０００１】
本発明は、例えば織布、合成樹脂シートあるいは用紙等の被切断シートをカッターナイフによって切断する際に用いられるカッターガイドに関する。
【背景技術】
【０００２】
従来、特許文献１には、布製の単調なデザインの紐（心材）の外周面に装飾布を巻着して趣のある手工芸品用の装飾紐を製造する方法が提案されている。この装飾紐を製造する方法を以下に説明する。図９に示すようにテーブル２１の上面に裁断板２２を載置し、この裁断板２２の上面に装飾布２３を載せる。次に、両面粘着テープ２４の粘着層２５の上下両面に接着された剥離シート２６，２７のうち、下部の剥離シート２７を粘着層２５から剥離して、図１０に示すように、前記装飾布２３の上面に両面粘着テープ２４の粘着層２５を接着する。次に、図１０に示すように、前記剥離シート２６の上面にカッターガイドとして竹或いは鋼製の物指２８を載せ、この物指２８の側端縁に沿ってカッターナイフ２９の切断刃３０を案内移動することにより、前記装飾布２３及び両面粘着テープ２４を直線状に裁断する。その後、所定形状に裁断された両面粘着テープ２４の粘着層２５から剥離シート２６を図１１に示すように剥離して粘着層２５を露出した後、粘着層２５の端縁に紐（心材）３１を載せ、この紐３１を矢印方向に転動させることにより、紐３１の外周面に図１２に示すように、装飾布２３を粘着層２５によって接着し、装飾紐を製造する。このようにして得られた装飾紐は、例えば渦巻き状に接着して敷物として用いられたり、その他の装飾品に用いられたりする。
【特許文献１】特開平１１−２８６８５８号公報
【発明の開示】
【発明が解決しようとする課題】
【０００３】
ところが、上記従来の装飾紐の製造工程においては、図１０に示すように、両面粘着テープ２４の剥離シート２６の上面に物指２８を載せ、この物指２８の側端縁に沿ってカッターナイフ２９の切断刃３０を摺動案内するようにしていたので、次のような問題があった。即ち、前記両面粘着テープ２４の剥離シート２６は非常に滑りやすい合成樹脂シートで形成されているので、この剥離シート２６の上面に物指２８を乗せた状態において剥離シート２６と物指２８の接触面が滑り易いために、物指２８を手の指によって強く下方に押さえて、物指２８を所定位置に保持する必要があり、装飾布２３及び面粘着テープ２４の裁断作業が非常に煩わしいという問題があった。
【０００４】
本発明は、上記従来の問題点を解消して、被切断シートの上面に載置した状態で滑動を防止することができ、カッターナイフによる被切断シートの切断作業を容易に行うことができるカッターガイドを提供することにある。
【課題を解決するための手段】
【０００５】
上記問題点を解決するために、請求項１に記載の発明は、カッターナイフの切断刃を案内する案内部を有するカッターガイドの本体の下面に滑動防止層を設けたことを要旨とする。
【０００６】
請求項２に記載の発明は、請求項１において、前記カッターガイドの本体の厚さ寸法は、５ｍｍ〜５０ｍｍの範囲に設定されていることを要旨とする。
請求項３に記載の発明は、請求項２において、前記本体の側面には下端ほど本体から横方向に張り出す斜面が形成され、該斜面には前記案内部が設けられていることを要旨とする。
【０００７】
請求項４に記載の発明は、請求項１〜３のいずれか一項において、前記本体の上面に滑動防止層が設けられていることを要旨とする。
請求項５に記載の発明は、請求項１〜３のいずれか一項において、前記本体の上面には把手が設けられていることを要旨とする。
【０００８】
請求項６に記載の発明は、請求項１〜５のいずれか一項において、前記案内部には長さを測定する目盛が設けられていることを要旨とする。
【発明の効果】
【０００９】
本発明によれば、カッターガイドの本体の下面に対し、滑動防止層が設けられているので、被切断シートの上面に前記滑動防止層を載せた状態でカッターガイド本体が滑動するのを防止することができ、被切断シートを容易に切断することができる。
【発明を実施するための最良の形態】
【００１０】
以下、本発明を具体化したカッターガイドの一実施形態を図１及び図２に従って説明する。
この実施形態のカッターガイド１１は、背景の技術で述べた裁断板２２に支持された装飾布２３及び両面粘着テープ２４を切断するものである。図１に示すように、このカッターガイド１１は、木製の肉厚寸法の厚いガイド本体１２の一側面を下端ほど水平方向に張り出す斜面１２ａとし、この斜面１２ａにステンレススチールよりなる帯状のガイドプレート１３を接着剤１４によって接着している。前記ガイド本体１２の前記斜面１２ａを除いた全表面に対し、絨毯を床面に載せる際に滑りを防止することができる滑り止めシートよりなる滑動防止層１５を接着剤１６によって接着している。滑り止めシートとしては、多孔質樹脂シート、多孔質ゴムシート、表面を粗く仕上げたり、表面に多数の凸部を形成したりした樹脂シートあるいはゴムシートがある。
【００１１】
図２に示すように、前記カッターガイド１１のガイドプレート１３の表面には、長さを測定するための目盛１３ａがミリメートル単位で形成されている。
上記のカッターガイド１１の幅ｗ寸法は２ｃｍ〜１０ｃｍの範囲において例えば５ｃｍに設定されている。カッターガイド１１の長さＬ寸法は１０ｃｍ〜７０ｃｍの範囲において例えば３２ｃｍに、厚さｔ寸法は５ｍｍ〜５０ｍｍの範囲において例えば１５ｍｍに設定されている。
【００１２】
上記のように構成したカッターガイド１１を用いて、前述した装飾布２３及び両面粘着テープ２４の裁断を行う場合には、図１に示すように両面粘着テープ２４の剥離シート２６の上面に、カッターガイド１１の滑動防止層１５の下面を接触する。この状態で、前記ガイドプレート１３の下端縁にカッターナイフ２９の切断刃３０を接触させた状態で該ガイドプレート１３の下端縁に沿って切断刃３０を移動させ、装飾布２３及び両面粘着テープ２４を直線状に切断する。
【００１３】
上記実施形態のカッターガイド１１によれば、以下のような効果を得ることができる。
（１）上記実施形態では、前記ガイド本体１２の下面に接着された滑動防止層１５の下面が両面粘着テープ２４の剥離シート２６の上面に接触されるので、剥離シート２６の上面と滑動防止層１５の下面とが滑動することはなく、カッターガイド１１を手で軽く下方に押圧するだけで、カッターガイド１１を所定位置に保持することができる。従って、カッターナイフ２９の切断刃３０によって、装飾布２３及び両面粘着テープ２４を容易に切断することができる。
【００１４】
（２）上記実施形態では、カッターガイド１１のガイド本体１２を厚肉寸法としたので、カッターガイド１１が指によって持ち易くなり、前記両面粘着テープ２４の剥離シート２６の上面にカッターガイド１１を配置したり、剥離シート２６の上面からカッターガイド１１を離したりする作業を容易に行うことができる。
【００１５】
（３）上記実施形態では、ガイド本体１２の側面に斜面１２ａを形成し、この斜面１２ａにガイドプレート１３を接着剤１４によって傾斜状態に接着したので、ガイドプレート１３の下端縁にカッターナイフ２９の切断刃３０を線接触させることができ、切断時の切断刃３０の案内移動を適正に行うことができる。
【００１６】
なお、上記実施形態は以下のように変更してもよい。
・図３に示すように、ガイドプレート１３をガイド本体１２として使用し、該ガイドプレート１３の上面に把手４１を取り付けてもよい。この場合には、把手４１を把持して、カッターガイド１１を容易に移動することができる。又、前記ガイドプレート１３の側端縁に刷毛４２を取付板４３によって取り付けてもよい。この場合には、切断された屑の清掃を容易に行うことができる。
【００１７】
・図４及び図５に示すように、前記ガイドプレート１３及び滑動防止層１５に対し、例えば直線状のカッターガイド溝１３ｂ，１５ａを互いに平行に形成してもよい。この場合には、前記ガイド溝１３ｂ，１５ａに沿ってカッターナイフの切断刃を案内移動することにより被切断シートを平行に容易に切断することができる。
【００１８】
・図６に示すように、前記カッターガイド１１のガイド本体１２に対し、凹部１２ｂを形成し、カッターガイド１１を傾斜状態で使用する際に手によって、カッターガイド１１を持ち易くするようにしてもよい。前記凹部１２ｂはカッターガイド１１の全長にわたって形成してしもよいし、部分的に形成してもよい。
【００１９】
・図７に示すように、ガイドプレート１３を四角形状に形成し、その上下両面に滑動防止層１５を接着剤により接着してもよい。
・図８（ａ）〜（ｆ）に示すように、ガイドプレート１３の平面形状を、蒲鉾状、山形状、三角状、六角状、円形、楕円形等各種の形状に変更してもよい。
【００２０】
・カッターガイド１１を用いて、紙、皮、ビニール等の各種の被切断シートを所定位置に保持するようにしてもよい。
【図面の簡単な説明】
【００２１】
【図１】この発明のカッターガイドを具体化した１実施形態を示す横縦断面図。
【図２】カッターガイドの斜視図。
【図３】この発明の別の実施形態を示すカッターガイドの斜視図。
【図４】この発明の別の実施形態を示すカッターガイドの斜視図。
【図５】図４のカッターガイドの横断面図。
【図６】この発明の別の実施形態を示すカッターガイドの横断面図。
【図７】この発明の別の実施形態を示すカッターガイドの斜視図。
【図８】（ａ）〜（ｆ）は、この発明の別の実施形態を示すカッターガイドの平面図。
【図９】装飾紐の製造方法を説明するための断面図。
【図１０】装飾紐の製造方法を説明するための断面図。
【図１１】装飾紐の製造方法を説明するための断面図。
【図１２】装飾紐の製造方法を説明するための断面図。
【符号の説明】
【００２２】
１１…カッターガイド、１２…ガイド本体、１２ａ…斜面、１３ａ…目盛、１５…滑動防止層、３０…切断刃、４１…把手。
【図１】
2009000943.tif 000003
【図２】
2009000943.tif 000004
【図３】
2009000943.tif 000005
【図４】
2009000943.tif 000006
【図５】
2009000943.tif 000007
【図６】
2009000943.tif 000008
【図７】
2009000943.tif 000009
【図８】
2009000943.tif 000010
【図９】
2009000943.tif 000011
【図１０】
2009000943.tif 000012
【図１１】
2009000943.tif 000013
【図１２】
2009000943.tif 000014